(57)【要約】【課題】  本体機器が作動する待ち時間を利用して、利用者に対して違和感の少ない発声方法による広告情報提供方法を提供する。【解決手段】  情報提供機能付き手乾燥装置において、手の挿入を検出して手を乾燥させるようにモーターを駆動するとともに、広告等の情報を音声によって提供するスピーカー装置を設定し、本体に取り付けられたスピーカーと、広告等の情報データを格納する記憶手段と、記憶手段に格納された情報データを読込、上記スピーカーから発声させる制御手段を備え、前記制御手段は、モーターの制御に関連させて情報の発生を変更するようにした。【選択図】  図１
2008051909.tif 000002
【特許請求の範囲】
【請求項１】
手の挿入を検出して手を乾燥させるように送風ファンを駆動するモーターと、広告等の情報を映像によって提供するモニター装置が設けられた手乾燥装置であって、前記手乾燥装置は、本体に取り付けられた表示用のモニターと、背景画像となる広告等のベース広告情報データを格納する第１記憶手段と、ベース広告情報に重畳表示されるテキスト等の主広告情報データを格納する第２記憶手段と、両記憶手段に格納された情報データを読込み上記モニターに表示させる制御手段を備え、この制御手段は、前記第２記憶手段に記憶された主広告情報データに関連付けられた第１記憶手段内のベース広告情報を読み込んで、重畳表示することを特徴とする情報提供機能付き手乾燥装置。
【請求項２】
請求項１に記載の情報提供機能付き手乾燥装置であって、前記第２記憶手段に格納された主広告情報にベース広告情報が格納されている場合は、第１記憶手段に格納されるベース広告情報の有無に関わらず、前記第２記憶手段に記憶された主広告情報とベース広告情報を用いて広告情報を提供することを特徴とする情報提供機能付き手乾燥装置。
【請求項３】
請求項１に記載の情報提供機能付き手乾燥装置であって、前記第１の記憶手段は着脱自在で、かつ搬送自在な記憶手段によって提供され、第２の記憶手段は、前記手乾燥装置内に設けられた無線通信機器を介して広告情報が登録されることを特徴とする情報提供機能付き手乾燥装置。
【請求項４】
請求項１に記載の情報提供機能付き手乾燥装置であって、前記第２記憶手段も搬送可能なものであって、第１記憶手段と第２記憶手段は独立して設けられていることを特徴とする情報提供機能付き手乾燥装置。
【請求項５】
請求項１に記載の情報提供機能付き手乾燥装置であって、前記第２記憶手段に記憶された情報は所定条件で削除されることを特徴とする情報提供機能付き手乾燥装置。
【請求項６】
請求項１に記載の情報提供機能付き手乾燥装置であって、前記第２記憶手段に記憶された情報は所定の時間帯を過ぎると削除されることを特徴とする情報提供機能付き手乾燥装置。
【請求項７】
請求項３に記載の情報提供機能付き手乾燥装置であって、前記無線通信機器はネットワークを介してサーバと接続され、前記サーバは契約者から情報提供場所に該当する手乾燥装置の識別情報と、提供時間帯と、背景画像選択情報を受け付け、前記無線通信機器を介して第２記憶手段内に主広告情報を登録することを特徴とする情報提供機能付き手乾燥装置。
【請求項８】
請求項１に記載の情報提供機能付き手乾燥装置であって、前記主広告情報にベース広告情報に関する関連付け情報の設定がない場合は、予め格納設定されている背景画面を読み込んで、これに主広告情報を重畳表示することを特徴とする情報提供機能付き手乾燥装置。
【請求項９】
請求項３に記載の情報提供機能付き手乾燥装置において、この情報提供機能付き手乾燥装置にて広告情報を提供した後に広告情報提供者に前記無線通信機器を介して広告情報を提供したことを通知することを特徴とする情報提供機能付き手乾燥装置。
【発明の詳細な説明】
【技術分野】
【０００１】
本発明は、従来の手乾燥装置に広告機能を付加した手乾燥装置に関する。
【背景技術】
【０００２】
近年、デパートやオフィス、公共施設などのトイレや洗面空間においては、多少の電気代は必要とするが、紙ごみの削減につながるなど、経済性やエコロジーの観点から、従来のペーパータオルに代わってハンドドライヤーの採用が増加している。しかし、当初のペーパータオルの代替えという観点からして該手乾燥装置は、手乾燥機能のみの単機能で使われるのが通例であった。
【０００３】
そこで、手乾燥装置に機能を追加して、用途拡大を図るために、手を乾燥させるための温風を吹き出すファンモーターを内蔵し、トイレの壁面等に設置されるハンドドライヤーに、前記ファンモーターの作動時に使用者に対して機器の使用法、ニュース、天気予報、占いなどの情報を表示するディスプレイを設ける構成により人体検知で広告をスタートさせる技術が開示されている。（特許文献１）
【０００４】
また、本体機器に組み込まれた表示器を駆動するマイクロコンピューターにおいて、取り出し可能なメモリーに広告等の情報を入れて更新可能とし、前記本体機器の作動開始によって前記表示器の表示を開始するようにする情報伝達表示装置が提案されている。（特許文献２）
【０００５】
更に、熱風を吹き出す吹き出し口からの熱風の吹き出しを所定の条件で制御する制御手段を有するドライヤー本体と、所望の情報を電子的に表示可能な電子式表示手段と、この電子式表示手段に表示するための情報を貯蔵可能な情報貯蔵手段とを備え、ドライヤー本体による熱風の吹き出しに連動させて情報貯蔵手段の貯蔵情報を電子式表示手段に表示する設置形ドライヤーが提案されている。（特許文献３）
【０００６】
また、手乾燥装置に人体検知センサーとしての水栓を使用する者を検出する使用者検出手段と、この検出手段の検出信号に基づいて、音及び／又は光により温風乾燥機の使用を水栓使用者に喚起する乾燥喚起手段とを備えた温風乾燥機の技術が開示されている。（特許文献４）
【０００７】
更に、キャビネット内に送風機と電熱ヒーターとセンサーが内蔵され、該キャビネットの下側に開口した吹出口に手を近づけることにより、熱風が吹き出すように構成し、該キャビネットの前面にシート状の発光板を配置するとともに、該発光板の前面に遮光性インクにより広告文字、絵柄等の所要の表示が印刷された透光性シートを重合した広告看板付きエアータオルが提案されている。（特許文献５）
【０００８】
また、キャビネット内にスピーカーを設け、前記スピーカーを館内有線放送のケーブルに接続し、音声を再生するとともに、その再生音量を調整する音量調整ノブを前記キャビネットの外側面に設けることにより、手乾燥装置に広告表示と音声広告機能を備えた構造としたエアータオルが提案されている。（特許文献６）
【０００９】
更に、受信したデータに基づいて表示手段に情報を表示させる表示制御手段は、通常の場合は、前記受信したデータに基づいて前記表示手段に所定の情報を表示させ、緊急事態が発生した場合は、前記注意喚起手段を発動させると共に前記表示手段に緊急用の情報を表示させ、前記緊急用の情報は、前記便器の設置位置及び前記緊急事態の種類に応じて、表示内容が設定されているトイレ用情報表示装置が提案されている。（特許文献７）
【００１０】
また、各トイレの近傍に設置されたモニターに広告を表示する際の広告料金を決定する広告料金決定システムにおいて、前記各トイレの利用開始と終了を検知する検知手段と、前記検知手段に基づいて、前記各トイレの利用者数と利用時間を算出する算出手段と、前記利用者数と利用時間とによって、前記各トイレの利用状況を数値化する利用状況数値化手段と、前記各トイレの設置環境を、該設置環境をランク付けしたテーブルに基づき数値化する設置環境数値化手段と、前記数値化した利用状況および設置環境とに基づき、前記各トイレの広告価値を数値化する広告価値数値化手段と、前記数値化した広告価値に基づいて、広告料金を決定する広告料金決定手段とを有する広告料金決定システムが提案されている。（特許文献８）
【特許文献１】実開平４−１３６１９６号公報
【特許文献２】特開平５−３２３８９４号公報
【特許文献３】特開平７−１７１０１６号公報
【特許文献４】特開平１０−３２８０７２号公報
【特許文献５】実登３０４７６１８号公報
【特許文献６】実登３０８２７２３号公報
【特許文献７】特開２００４−１４１４１７号公報
【特許文献８】特開２００４−１５２１８０号公報
【発明の開示】
【発明が解決しようとする課題】
【００１１】
上記において、特許文献１では、ハンドドライヤーのファンモーターの作動時に、使用者に対してディスプレイ上の情報を見せるだけで、広告情報提供者が現時点で直ぐに広告を提供したいと思った際に迅速に、かつ簡単にオンデマンドの情報を提供し得る手法については何ら開示や示唆も無い。
【００１２】
特許文献２では、情報の表示タイミングについては、情報伝達表示装置の本体機器の作動開始によって前記情報伝達表示装置の表示を開始するとあり、メインテナンスユニットによりマイクロコンピューターのメモリー装置に記憶されている伝達情報の内容を書き換えて更新することにより、表示データを任意に書き換えることが出来るという記載はあるが、広告情報提供者が現時点で直ぐに広告を提供したいと思った際に迅速に、かつ簡単にオンデマンドの情報を提供し得る手法については何ら開示や示唆も無い。
【００１３】
特許文献３では、磁気テープや光ディスクなどの情報貯蔵手段を使い、手の乾燥時間を活用してミニ知識や商品情報などを利用者に提供する記載はあるが、広告情報提供者が現時点で直ぐに広告を提供したいと思った際に迅速に、かつ簡単にオンデマンドの情報を提供し得る手法については何ら開示や示唆も無い。
【００１４】
特許文献４では、ケーシング１の表面に表裏で色の異なる複数のフラップを回転自在に設け、第１センサーの検出信号により、各フラップが反転して色が変化する構成とすることにより、センサーで水栓使用者を検知した後に、手乾燥を喚起しているが、広告情報提供者が現時点で直ぐに広告を提供したいと思った際に迅速に、かつ簡単にオンデマンドの情報を提供し得る手法については何ら開示や示唆も無い。
【００１５】
特許文献５では、キャビネット前面に配置したシート状の発光板の前面に遮光性インクで印刷した透光性シートを重合して、エアータオル利用者の目前に宣伝や広告、或いは公共案内などのコンテンツを発光状態にして提示する記載はあるが、広告情報提供者が現時点で直ぐに広告を提供したいと思った際に迅速に、かつ簡単にオンデマンドの情報を提供し得る手法については何ら開示や示唆も無い。
【００１６】
特許文献６では、公共トイレ設置用エアータオルのキャビネット内に送風機と電熱ヒーターとセンサーとスピーカーとを内蔵し、前記キャビネット前面に広告文字、絵柄などのコンテンツを表示する液晶表示ディスプレイを設ける記載しか無く、広告情報提供者が現時点で直ぐに広告を提供したいと思った際に迅速に、かつ簡単にオンデマンドの情報を提供し得る手法については何ら開示や示唆も無い。
【００１７】
特許文献７では、表示手段は、通常の場合は、受信したデータに基づいて表示手段に所定の情報を表示させ、緊急事態が発生した場合は、注意喚起手段を発動させると共に表示手段に緊急用の情報を表示させる記載はあるが、広告情報提供者が現時点で直ぐに広告を提供したいと思った際に迅速に、かつ簡単にオンデマンドの情報を提供し得る手法については何ら開示や示唆も無い。
【００１８】
特許文献８では、トイレの個室毎に利用者数と利用時間を算出する際に、トイレの男女区分、ビルの所在エリア、ビルの種別、フロアー階数、曜日による設置環境の計数を掛けてランク値を計算する記載はあるが、各個室で閲覧する広告内容は広告主からの申し込みで決定されるという記載があるだけで、広告情報提供者が現時点で直ぐに広告を提供したいと思った際に迅速に、かつ簡単にオンデマンドの情報を提供し得る手法については何ら開示や示唆も無い。
【課題を解決するための手段】
【００１９】
上記の課題を解決するために本発明においては、手の挿入を検出して手を乾燥させるように送風ファンを駆動するモーターと、広告等の情報を映像によって提供するモニター装置が設けられた手乾燥装置であって、前記手乾燥装置は、本体に取り付けられた表示用のモニターと、背景画像となる広告等のベース広告情報データを格納する第１記憶手段と、ベース広告情報に重畳表示されるテキスト等の主広告情報データを格納する第２記憶手段と、両記憶手段に格納された情報データを読込み上記モニターに表示させる制御手段を備え、この制御手段は、前記第２記憶手段に記憶された主広告情報データに関連付けられた第１記憶手段内のベース広告情報を読み込んで、重畳表示することを特徴とする。
【００２０】
これにより、広告提供者は、広告情報を作成する高度のスキルを持たなくてもタイムリーに今提供したいオンデマンドの広告情報を簡単に提供させることができる。すなわち、広告情報を作成する際に難しいのは、広告情報の背景となる画像や動画を如何に作成するかと言う点にある。言い換えれば、例えばうどん屋さんが広告提供者であるとすれば、今からうどんのタイムサービスとして１時間に限ってきつねうどんを半額で提供したいという思いがあっても、いざこれを広告情報として作成しようとすると、きつねうどんの画像であったり、お店の場所であったり等の、真に顧客に伝えたい広告メッセージ以外の部分の方に苦労がかかるだけでなく、これを広告毎に都度作成するのは非常に難しく、工数もかかるという問題があった。しかし、本発明によれば、予め広告代理店等に頼んで予め背景となる画像部分のみを作成してもらっておき、それを予め第１記憶手段内に格納しておけば、広告提供者は、単に簡単な文字情報等で構成される真に顧客に伝えたい広告情報である、例えば「本日１２時〜１３時きつねうどん半額のタイムサービス実施中！！」というような主広告情報部分と、この提供する主広告情報に対してどのベース広告情報を用いるのかを関連付けて広告を提供したい時に作成して第２記憶手段に格納するだけで、手乾燥装置が、予め作成して格納しておいた第１記憶手段のベース広告情報の中から関連付けられたベース広告情報を選択して、これと重畳して広告情報を提供してくれるので、タイムリーに簡単に顧客に伝えたい広告メッセージを提供できるだけでなく、背景画像も構成付けられた広告情報を提供できるため視覚的にも優れた広告情報を提供できるという優れた効果を奏することができる。また、これによって、トイレブースや洗面所などのような場所に設置される手乾燥装置では、共有な設備であることに加え、場所的な問題、設置数の多さ等の要因から、広告情報のデータ更新者としてみれば数多くの広告情報を作成する手間や更新の手間を簡略化したいことに加え、特に広告情報の格納にかかる更新時間を短くしたいという要求が強い。その点本発明によれば、ベース広告情報と主広告情報を分けたため、データが重くなりがちなベース広告情報が格納された第１記憶手段と、情報の新鮮さが重要な主広告情報の更新頻度を変えることが可能になるため、広告情報のデータ作成の手間や、更新頻度を最適化でき、かつ更新時間が、通常のデータ更新はデータが軽い主広告情報にできるため極めて短時間に行え、数多い手乾燥装置に対する広告情報の格納を迅速に行えるという実用性が高い効果を奏することも可能となる。
【００２１】
また、請求項２において、請求項１に記載の情報提供機能付き手乾燥装置であって、前記第２記憶手段に格納された主広告情報にベース広告情報が格納されている場合は、第１記憶手段に格納されるベース広告情報の有無に関わらず、前記第２記憶手段に記憶された主広告情報とベース広告情報を用いて広告情報を提供することを特徴とする。
これにより、広告情報を提供する場合に主広告情報の内容によっては第１記憶手段内に格納しているベース広告ではなく、本主広告情報に合ったものを別途作成して提供する方が望ましいと思った場合に、わざわざ第１記憶手段のベース広告情報を更新したり追加することなく、提供したいタイミングで主広告情報に加えて、それに最適な背景となるベース広告情報も同時に作り込んで視覚的に優れた広告情報として確実に行えるようになり、広告情報提供者の使用勝手を一層向上させることができる。
【００２２】
更に請求項３においては、請求項１に記載の情報提供機能付き手乾燥装置であって、前記第１の記憶手段は着脱自在で、かつ搬送自在な記憶手段によって提供され、第２の記憶手段は、前記手乾燥装置内に設けられた無線通信機器を介して広告情報が登録されることを特徴とする。
これによれば、トイレブース等では別途ＬＡＮケーブル等を新たに手乾燥装置まで施設するのは事実上困難性が高く、一方で搬送可能なメモリーだけで手乾燥装置に広告情報を格納する方式では、多くの広告提供者からの要求に沿って広告を提供したい時に、そのタイミングでメモリーに格納し、手乾燥装置まで搬送して格納するようにすることはこれも利便性は低く、ユーザーニーズに沿ったオンデマンド情報の提供は難しい。しかし、本発明によれば、データが重く、オンデマンド的な要素が低いベース広告情報は、第１記憶手段に搬送可能な記憶手段で格納するようにしたため無線通信による負荷を大幅に軽減できる。一方で、オンデマンド要求が高い主広告情報に限っては、無線機器を介して情報を取得し第２記憶手段に格納するようにしたので、迅速にオンデマンド情報をタイミングよく顧客に提供できるとともに、データ容量も文字情報等であり軽いものであるため無線通信による負荷も軽減できる。
請求項４においては、請求項１に記載の情報提供機能付き手乾燥装置であって、第２記憶手段も搬送可能なものであって、第１記憶手段と第２記憶手段は独立して設けるようにした。これにより、ふたつの記憶手段を別々に管理できるようになる。
【００２３】
また、請求項５、６において、請求項１に記載の情報提供機能付き手乾燥装置であって、第２記憶手段に記憶された情報を所定条件や、所定の時間帯を過ぎると削除したりするものである。これは、ベース広告情報を持たない主広告情報が、ある時期、ある条件まで価値があり、それ以降は途端に価値がなくなり汎用性もない情報であるように、本発明においては明確に区別できるようになることから、これにより、第２記憶手段内のデータを自動的に整理することが出来るようにしたものである。
【００２４】
更に、請求項７において、請求項３に記載の情報提供機能付き手乾燥装置であって、無線通信機器はネットワークを介してサーバと接続され、前記サーバは、契約者から情報提供場所に該当する手乾燥装置の識別情報と、提供時間帯と、背景画像選択情報を受け付け、前記無線通信機器を介して第２記憶手段内に情報を提供するようにした。これにより、広告情報の提供者は、提供したい主広告情報を提供したい時にサーバに広告情報をアップロードし、サーバが該当する手乾燥装置に対して無線通信機器を介して主広告情報を格納するため、広告情報の提供者は一層簡単に広告情報を提供することができるとともに、第２記憶手段に広告情報をオンデマンドに確実に格納できるようになる。。
【００２５】
また、請求項８において、請求項１に記載の情報提供機能付き手乾燥装置であって、前記主広告情報にベース広告情報に関する関連付け情報の設定がない場合は、予め格納設定されている背景画面を読み込んで、これに主広告情報を重畳表示する。これにより、広告情報の提供者が背景等を必要とせず、主広告情報だけを単に提供したいという要求にも対応でき、広告情報の提供者の使用勝手を一層向上させることができる。
【００２６】
更に、請求項９において、請求項３に記載の情報提供機能付き手乾燥装置であって、広告情報を提供した後に広告情報提供者に広告情報を提供したことを通知するようにした。これにより、手乾燥装置という広告機器の特性上、多くの人に広告を提供するという物ではなく、手乾燥装置を使用した人にピンポイントで行う形態であるため。広告情報の提供者として見れば手乾燥装置が使用され広告情報が本当に提供されたのかどうかが判断できず、広告提供による効果を判断し難い。しかし、本発明によれば広告提供の有無が理解できるため、必要に応じて広告を提供する手乾燥装置の数を増やしたり、提供頻度が高まるようにコントロールするなどの戦略を迅速に行うことができ、手乾燥装置で広告を提供する際のメリットを最大限に高めることができる。
【発明を実施するための最良の形態】
【００２７】
以下、本発明を実施するための最良の形態を図面に基づいて詳細に説明する。なお、以下の説明において、同一機能を有するものは同一の符号とし、その繰り返しの説明は省略する。
【００２８】
図１は、本発明に係る情報提供機能付き手乾燥装置の斜視図である。本発明による情報提供機能付き手乾燥装置１は、従来の手乾燥装置に較べると、外観的な特徴として、情報提供機能としてのモニター５、スピーカー１３を備えている。
【００２９】
手乾燥装置１は、本体ケーシング２を備え、本体ケーシング２の下部前面には、開口部３があり、本体ケーシング２の開口部３の奥には、手を挿入して乾燥するための手乾燥室４が備えられている。手乾燥室４の上方にはモニター５が設けられ、その内側にはヒーター６及びモーター７によって回転せしめられる送風機８が内蔵されている。この送風機８から送給される空気流は手乾燥室４内から下方に吹き出し、手乾燥室４に挿入された手にヒーター６からの熱風を吹き付けるためのノズル９が手乾燥室４の天井部に配置されている。また、手乾燥室４の天井部には、手乾燥室４に差し込まれた手を検知するセンサー１０が配置され、手乾燥室４の底部には、水受け部１１と、排水口１２とが設けられる。
【００３０】
手乾燥室４内に手が差し込まれると、センサー１０がそれを検知して自動的に送風機８が作動し、手乾燥室４内に挿入された手に向かって空気を吹き付け、手の表面の水を吹き飛ばしたり、蒸発させたりすることによって手を乾燥する。そして、手乾燥室４から手を抜き去ると、センサー１０によって手乾燥室４内に手の無いことを検知して自動的に送風機８を停止する。手から吹き飛ばされた水は、水受け部１１で受けて、排水口１２から回収される。
【００３１】
また、手乾燥装置１の本体ケーシング２内にはモニター５が、側面にはスピーカー１３が取付けられていて、モニター５に映像を映し出すと同時に、スピーカー１３から音楽や音声を流すようになっている。また、本体ケーシング２の側面にはメモリーカードを装脱自在としたスロット１４が、更に本体ケーシング２の内部には無線機１５が設けられている。
【００３２】
上記において、例えば２種類あるいは３種類のデータを持つ別々のメモリーカードを使う場合は、スロット１４はメモリーカードが１枚だけ収納できるシングルコネクターを内蔵したものから２回あるいは３回に分けてデータ格納しても良いし、メモリーカードを２枚あるいは３枚収納できるデュアルコネクターを内蔵したもの、あるいはケーシング２に複数のスロット１４を設けて各メモリーカードを別々のスロットに挿しても良い。
【００３３】
センサー１０は、手の挿抜を検出する機能が必要であり、例えば赤外線センサーが使える。この赤外線センサーには焦電型赤外線センサーやフォトダイオード型赤外線センサーがあるが、手の挿入を検出する目的には焦電型赤外線センサー、特に微動検出タイプが好ましい。
【００３４】
モニター５の仕様としては、スペース的な観点からフラットパネルディスプレイが望ましく、その中でも防滴性、例えばＪＩＳ防水保護等級６耐水形相当以上の防水特性を持つものが望ましい。特に、画像の解像度や市場価格などを考えると、例えばＴＦＴアクティブマトリックス駆動方式の液晶ディスプレイを採用することが考えられる。基本構成としては、ＬＣＤバックライトユニットを使うことが考えられるが、フロントライトユニット方式の液晶装置を使うことも考えられる。
【００３５】
また、前記スピーカー１３には、防滴形のスピーカーが望ましく、例えばスピーカー表面が防滴処理された防滴スピーカーやセラミックスピーカーなどが使える。
【００３６】
図２は、本発明による情報提供機能付き手乾燥装置を下から見た図である。手乾燥装置１の背面側にはフィルター１７が設けられ、底面には風量切替スイッチ１８、ヒーター入切スイッチ１９及び主電源スイッチ２０を設けている。この部分にスイッチを集中させたのは、正面から見えにくい構造とすることでデータが改竄されることを防止するためである。
【００３７】
装置を操作する手順としては、まず主電源スイッチ２０をＯＮにしてシステムに電源を投入する。次に、外気温度によって、外気が低い場合には、ヒーター入切スイッチ１９をＯＮとする。更に、風量がデフォルトでは強い又は弱い場合に、風量切替スイッチ１８を調整して最適な風量に設定する。
【００３８】
以上において、濡れた手が開口部３に挿入され、センサー１０によって検知されると、送風機８が動作し、フィルター１７から手乾燥機本体に吸い込まれた空気が送風機８のファンからヒーター６に誘導され、ヒーター６で加熱された温風がノズル９から吹き出されて前記濡れた手に当たる。
【００３９】
図３は、本発明による情報提供機能付き手乾燥装置のシステム例である。このシステム全体はＣＰＵ２１によって制御され、ＣＰＵ２１には電源投入時に使われるシステムファイルなどのファームウェアなどを格納するＲＯＭ（Ｒｅａｄ−Ｏｎｌｙ−Ｍｅｍｏｒｙ）２２と、書き換え可能で、電源が落ちても記憶内容を保持できるＲＡＭ（Ｒａｍｄｏｍ−Ａｃｃｅｓｓ−Ｍｅｍｏｒｙ）２３が接続されている。
【００４０】
前記ＲＡＭ２３は本発明の場合、背景画像となる広告等のベース広告情報データを格納する第１の記憶手段として作用する。またベース広告情報に重畳表示されるテキスト等の主広告情報データを格納する第２の記憶手段としてはメモリーカード１６を用いる。
【００４１】
この形態の他に前記ＲＡＭ２３を第１及び第２の記憶手段としてもよく、更にケーシング２に複数のスロット１４を設け、各スロット１４に第１及び第２の記憶手段を装着可能とするか、例えば、読み込まれたらそのまま提供される情報を格納した第３の記憶手段をスロットに装着してもよい。
【００４２】
ここで、広告情報を格納したメモリーカード１６が常時差し込まれている形態であれば、電源がＯＦＦされると記憶内容が消去されるＲＡＭでも何等差し支えない。また、格納する広告情報というデータ量が多い特性から考えてＲＡＭに変えてハードディスクのような物であっても良いことは言うまでもない。
【００４３】
また、ＣＰＵ２１はインターフェース２４を介して様々な入出力機器に接続されている。ＣＰＵのアドレス線は限られているのが、例えば、８ビットのアドレス空間を持つＣＰＵは、チップセレクト信号とアドレス信号を組み合わせ、アドレスデコーダ回路を使うことにより最大２５６個の周辺デバイスを選択してアクセスすることが出来るので、本実施例の場合のように１０個の周辺デバイスの制御することに何ら問題は無い。
【００４４】
入力系統としては、図１で説明した手の挿入を検出するセンサー１０、図２にて図示された風量切替スイッチ１８、ヒーター入切スイッチ１９、主電源スイッチ２０があり、出力系統としては、モニター５への映像出力、スピーカー１３への音声出力、ヒーター６の制御信号出力、送風機８の制御出力がある。
【００４５】
更に、入出力系統としては、メモリースロット１４、および無線機１５がある。このメモリースロット１４に使うメモリーカード１６としては、例えば、ライトプロテクト機能が付いたＳＤカードやライトプロテクトは無いが安価なＣＦカードやＰＣＭＣＩＡカードやＵＳＢメモリーなどが使える。ＤＶＤのような記憶可能なディスクであっても良い。  
【００４６】
メモリーカード１６は、メモリースロット１４に挿入された後、必要なデータがＣＰＵ２１によってＲＡＭ２３にダウンロードされるので、ダウンロード後にメモリーカード１６はメモリースロット１４から抜いて置くことができる。これにより、男性トイレと女性トイレや、異なる階や異なる場所に設置されている複数の手乾燥装置に対してメモリーカード１６の使い回しが可能となり、メモリーカードを常時格納するタイプに比して盗難の予防やシステムとしてのランニングコストを下げることが出来る。
【００４７】
なお、メモリーカード１６を挿入すると自動的にダウンロードを開始される形態であっても、メモリーカード１６を挿入後作業者のダウンロードの確認を受けた後で自動的にダウンロードが開始されるものであっても良い。また、ダウンロードを行わせず、メモリーカード１６をメモリースロット１４，１５に常時差し込んだままにしておいて、必要な情報は常にメモリーカード１６にアクセスしてデータを取りに行くタイプであっても良い。さらに、電源ＯＦＦ時にＲＡＭ２３内の情報は消去され、電源投入時にメモリーカード１６内の情報をＲＡＭ２３に都度ダウンロードさせる形態であっても良い。
【００４８】
メモリーカード１６として、Ｂｏｕｔｏｏｔｈ（登録商標）制御機能が実装されたＵＳＢメモリーやＳＤカードを使う場合は、メモリースロット１４、１５自体をＢｏｕｔｏｏｔｈ（登録商標）あるいはＮＦＣ（Ｎｅａｒ  Ｆｉｅｌｄ  Ｃｏｍｍｕｎｉｃａｔｉｏｎ）などによる近距離の無線インターフェースとすることにより、非接触方式のインターフェースによりデータ通信することも考えられるものである。
【００４９】
図４（ａ）は、メモリースロット１４に挿入するメモリーカード１６の格納領域と、この格納領域に格納される一つ一つのデータの、データフォーマットを示したものである。詳細には、このメモリーカード１６には２つの格納領域Ｆ１０１、Ｆ１０２が生成されていて、最初の領域Ｆ１０１はフィードバック情報の書き込みエリアとなっていて、手乾燥装置１の利用状況や、使用回数に応じて決定されるフィルター交換時期、手乾燥装置１の故障情報、各広告データの提供回数などの情報がＣＰＵ２１によってカウント記録されており、そのカウント値を一旦ＲＡＭ２３に格納しておいてメモリーカード１６が差し込まれた際に、ＣＰＵ２１は、このメモリーカード１６のＦ１０１の領域に書き込むようになっている。これで、手乾燥装置１の管理者や、広告提供者の有用な管理データにできるようにしたものである。
二番目の領域Ｆ１０２は、ベース広告の情報を格納するエリアとなっている。
【００５０】
ベース広告とは、提供者の例えばお店の地図や、概観写真、または広告内容に応じて作られた動画などであって、所謂広告情報の背景になる静止画や動画等の画像である。よって、ベース広告は、広告を提供する提供者毎に存在することが一般的であるため、提供される広告に適合した数のベース広告が存在し、それら複数のベース広告がこの領域Ｆ１０２に格納されている。なお、ベース広告は後述するが、必ず広告毎に必要なものではなく、広告提供者があえて設定しなくても、汎用のベース広告を背景とすることが可能に構成されており、この汎用のベース広告は、メモリーカード１６に消去不能として書き込まれているようにして、常にダウンロードされるようにしても、またＲＯＭや、ＲＡＭに常に書き込まれた状態として保存されているようにしても良い。また、ベース広告は、同一の広告提供者であっても時間帯や曜日、広告内容に応じて背景となるこのベース広告を変更できるように複数登録することも可能である。これら複数のベース広告の中から、情報提供機能付き手乾燥装置１のＣＰＵ２１が、後述するように主広告に基づく選択条件に該当するものを抽出して広告提供者の希望通りの広告となるようにベース広告を選択して提供することになる。
【００５１】
なお、このようにベース広告を設定するようにした理由は、例えばうどん店が広告を提供する場合、広告の内容（主広告）を、例えば「タイムーサービス中！きつねうどん３００円！！」としたいと思っている場合、この文字による広告の内容は容易に作成できても、この文字を表示させる背景、例えば、お店の名前や位置、電話番号、きつねうどんの画像などを一緒に作りこむことは時間がかかるだけでなく、データ作成スキルがないと困難性が高いため、広告を容易に提供してもらえない可能性が高い。しかし、ベース広告を予め例えば一つ、専用の広告会社等で、お店の名前や、場所、電話番号、それに加えてそのうどん店の画像やうどんのイメージ画像を予め作成して登録しておけばいつでも気軽に広告の内容となる文字情報等の主広告だけを作れば、登録しているベース広告と重ね合わせて表示させることで視覚的に優れた広告を提供できるようにできるため、極めてタイムリーで、かつ安価で、かつ簡単に広告を提供できるという効果を奏することを狙って作られているものである。
【００５２】
次に、第２番目の領域Ｆ１０２に格納されているベース広告の一つ一つのデータファイルは、Ｆ１０２ａ〜Ｆ１０２ｆの６つの基礎データを持つよう予めルール化されており、決定されたフォーマットに沿うように構築されている。詳細には、男性／女性の属性情報Ｆ１０２ｂ、提供期間及び時間帯の情報Ｆ１０２ｃ、設置アドレス情報Ｆ１０２ｄ、大人／子供の属性情報Ｆ１０２ｅ、表示形態の情報Ｆ１０２ｆがベース広告情報Ｆ１０２ａに関連付けられた識別情報となるように構成されているものである。
【００５３】
更に具体的には、データの中心となる画像等の背景になるベース広告情報Ｆ１０２ａと、このＦ１０２ａの画像情報に関連付けられる情報としてＦ１０２ｂ〜Ｆ１０２ｆがデータとして組み込まれる形になっていて、ベース広告情報Ｆ１０２ａには、例えばＷＭＶ（Ｗｉｎｄｏｗｓ（登録商標）  Ｍｅｄｉａ  Ｖｉｄｅｏ）データフォーマット、ＡＶＩデータフォーマット、Ｑｕｉｃｋ  Ｔｉｍｅデータフォーマット、Ｆｌａｓｈ  Ｖｉｄｅｏ（ＦＬＶ）データフォーマット、ＭＰＥＧデータフォーマットなどのフォーマットが使える。
尚、本発明にあっては第２番目の領域Ｆ１０２に格納される情報としては、ベース広告情報Ｆ１０２ａと設置アドレス情報Ｆ１０２ｄが必須の情報であり、他の情報については省いてもよい。
【００５４】
ベース広告情報Ｆ１０２ａには、先にも述べた通りベース広告となるお店のイメージを描いたイラストやお店の店舗写真などのデータが格納され、このデータと後述する主広告データとがモニター５上で、レイヤー処理によって重合して表示されるようにしたものである。これによって、広告毎や高い頻度で変更する必要性も低い背景となるベース広告を高い頻度で作り変える必要がなく、広告提供者の時間的、コスト的、スキル的な負担を一掃できるようにしたものである
【００５５】
男性／女性の属性情報Ｆ１０２ｂには、ベース広告情報Ｆ１０２ａのデータデータが男性向きか女性向きかの識別データが入力されている。これにより、例えば男性向きのデータは男性トイレブースで、女性向きのデータは女性トイレブースで使われるようになる。
【００５６】
提供期間及び時間帯の情報Ｆ１０２ｃには、広告提供者が本ベース広告情報Ｆ１０２ａのデータをどのような時間帯で、また何時まで使いたいかを定義できるようにした識別情報であり、これにより、例えば、夏のベース広告が冬に使われたり、日中に最適に作られたベース広告が夜中に使われるなどの不都合を解消できるだけでなく、広告提供者としては、夏や冬、日中や夜に最適な広告を意識して簡単に提供できることになるため、広告効果を簡単に高めることができるという優れた効果を奏することができるものである。なお、日時や曜日の識別情報が現在の状況に適合しているか否かを判断するための情報は、手乾燥装置１が情報として予め保有していることは言うまでもない。
【００５７】
設置アドレス情報Ｆ１０２ｄは、本ベース広告情報Ｆ１０２ａのデータを様々な場所に複数設置されている手乾燥装置１のどの装置で提供したいのかを識別させるためのデータである。具体的には、あるデパートの中に１０台の手乾燥装置１が設置されているとした場合、例えば紳士服屋さんとしてみれば、紳士服を購入しに来ているお客、言い換えればこの紳士服屋さんがある階にいるお客さんこそが最大のターゲット顧客であり、よってこの階にある男性トイレの手乾燥装置１で情報を提供したいと考えるのが普通である。その場合に、この階にある２箇所の男性トイレの手乾燥装置１のアドレスを、予め例えば７番と８番と決めておく一方で７番と８番でこの広告情報が提供されるようにＦ１０２ｄにこのアドレスナンバーを登録させるようにする。これによって、希望通りの場所で希望通りの広告が提供されるように構成したものである。更に詳述すれば、子供服売り場に設置された情報提供機能付き手乾燥装置１のアドレスと婦人服売り場に設置された情報提供機能付き手乾燥装置１のアドレスを予め変えておき、それぞれのアドレスを提供したいベース広告に関連付けてＦ１０２ｄに登録すれば、子供用のデータを子供服売り場に設置した情報提供機能付き手乾燥装置１のモニター５に、女性用のデータを婦人服売り場に設置した情報提供機能付き手乾燥装置１のモニター５で表示することができることとなり高い広告効果が期待できる。
【００５８】
大人／子供の属性情報Ｆ１０２ｅは、本ベース広告情報Ｆ１０２ａのデータに基づくデータを大人に提供したいのか子供に提供したいのかを識別させるための情報である。これを使うことにより、例えば紳士服売り場がある階に設置された男性トイレブースに情報提供機能付き手乾燥装置１が設置されているとした場合に、家族でデパートに来た男の子が男性トイレに入った時、例えば手の挿入位置で大人か子供かを識別させることで、大人には紳士服に沿った情報を提供し、子供には男性用子供服の広告情報を提供できることになるため一層適切なデータの広告をモニター５に表示することができる。
【００５９】
表示形態の情報Ｆ１０２ｆは、ベース広告情報を例えば右から左に流すとか、２秒静止後に動画として表示するとか言うようにどのように表示するのかを広告提供者が定義できるようにするものであり、これによって広告の視覚的インパクトを簡単に強めることができるようにしたものである。
【００６０】
図４（ｂ）は、メモリースロット１５に挿入するメモリーカード１６内に収容される主広告データのデータフォーマットである。ここで、主広告データとは、先にも述べた通り、広告内容そのものの、言い換えると広告として顧客に伝えたい内容のことであり、例えば「うどん４００円タイムサービス中！！」というような文字情報が主体となるものであると考えている。Ｆ２０１はこの主広告データを格納する領域であり、広告提供者が提供する広告の数だけデータがこのＦ２０１に格納されていることになる。また、主広告の一つ一つのデータファイルは、Ｆ２０１ａ〜Ｆ２０１ｉの９つの基礎データを持つよう予めルールとして決定され、フォーマットに沿う形で構築されている。
【００６１】
領域Ｆ２０１に登録格納される主広告データは、１０の基礎データＦ２０１ａ〜Ｆ２０１ｊで生成されていて、主広告情報Ｆ２０１ａと、この主広告情報に関連する識別情報が以下に関連付けられている。詳細には、男性／女性の属性情報Ｆ２０１ｂ、提供期間及び時間帯の情報Ｆ２０１ｃ、設置アドレス情報Ｆ２０１ｄ、大人／子供の属性情報Ｆ２０１ｅ、表示形態の情報Ｆ２０１ｆ、広告支払い料金情報Ｆ２０１ｇ、広告時間情報Ｆ２０１ｈ、リピート時間情報Ｆ２０１ｉ、選択するベース広告情報Ｆ２０１ｊが識別情報として登録されている。
尚、前記したように本発明にあっては領域Ｆ２０１に格納される情報としては、主広告情報Ｆ２０１ａと設置アドレス情報Ｆ２０１ｄが必須の情報であり、他の情報については省いてもよい。
【００６２】
主広告情報Ｆ２０１ａには、先にも述べた通り主広告となるお店の当日の特別サービス品の紹介や、特定時間だけのタイムサービス情報などの広告として伝えたい内容そのものに関するデータが格納され、このデータと前述のベース広告データＦ１０２ａとがモニター５上で重合表示されることにより、視覚的にインパクトのある広告を簡単にタイムリーに作成して提供できるようにしたものである。
【００６３】
男性／女性の属性情報Ｆ２０１ｂには、主広告情報Ｆ２０１ａのデータが男性向きか女性向きかの識別データが入力されている。これにより、例えば男性向きのコンテンツは男性トイレで、女性向きのコンテンツは女性トイレで使われるようになる。
【００６４】
提供期間及び時間帯の情報Ｆ２０１ｃには、広告提供者が本主広告情報Ｆ２０１ａのデータをどのような時間帯で、また何時まで使いたいかを定義できるようにした識別情報であり、これにより、例えば、夏の主広告が冬に使われたり、１時間タイムサービスの広告の予定がずっと使われるなどの不都合を解消できる。反対に言えば、広告提供者としては、夏や冬、タイムサービスに最適な広告を簡単に提供できることになるため、広告効果を簡単に高めることができるという優れた効果を奏することができるものである。
【００６５】
設置アドレス情報Ｆ２０１ｄには、本主広告情報Ｆ２０１ａのデータを複数設定される手乾燥装置１のどの装置で提供したいのかを識別させるためのデータである。具体的には、あるデパートの中に１０台の手乾燥装置１が設置されているとした場合、例えば紳士服屋さんとしてみれば、紳士服を購入しに来ているお客、言い換えればこの紳士服屋さんがある階にいるお客さんこそが最大のターゲット顧客であり、よってこの階にある男性トイレの手乾燥装置１で情報を提供したいと考えるのが普通である。その場合に、この階にある２箇所の男性トイレの手乾燥装置１のアドレスを予め例えば７番と８番と決めておく一方で、７番と８番でこの広告情報が提供されるようにＦ２０１ｄにこのアドレスナンバーを登録させるようにすることで、希望通りの場所で広告が提供されるように構成したものである。更に詳述すれば、子供服売り場に設置された情報提供機能付き手乾燥装置１のアドレスと婦人服売り場に設置された情報提供機能付き手乾燥装置のアドレスを予め変えておき、このそれぞれのアドレスを提供したい主広告に関連付けてＦ２０１ｄに登録すれば、子供用のコンテンツを子供服売り場に設置した情報提供機能付き手乾燥装置１のモニター５に、女性用のコンテンツを婦人服売り場に設置した情報提供機能付き手乾燥装置１のモニター５で表示することができることとなり高い広告効果が期待できる。
【００６６】
大人／子供の属性情報Ｆ２０１ｅには、本主広告情報Ｆ２０１ａのデータに基づくコンテンツを大人に提供したいのか子供に提供したいのかを識別させるための情報である。これを使うことにより、例えば男性トイレに情報提供機能付き手乾燥装置１が設置された階が紳士服売り場であった場合に、家族でデパートに来た男の子が男性トイレに入った時、例えば手の挿入位置で大人か子供かを識別させることで、大人には紳士服に沿った情報を提供し、子供には男性用子供服の広告情報を提供できることになるため一層適切なコンテンツの広告をモニター５に表示することができる。
【００６７】
表示形態の情報Ｆ２０１ｆは、主広告情報を例えば右から左に流すとか、２秒静止後に動画として表示するとか言うようにどのように表示するのかを広告提供者が定義できるようにするものであり、これによって広告の視覚的インパクトを簡単に強めることができるようにしたものである。
【００６８】
広告支払い料金情報Ｆ２０１ｇには、主広告情報Ｆ２０１ａの広告を提供するに当たり広告提供者がいくら広告料金を支払ったかを記載しているものであり、これは、広告料をたくさん払った人が多く広告として提供されるように識別するものであって、例えば同じ時間帯に１０個の提供するべき主広告がある場合は、広告料の支払いが一番多い人から順に提供されるとともに、広告料の支払い比率に比例して広告提供頻度が変わる、言い換えると高い広告料を支払った人が、使用頻度が高いような時間帯で、かつ多く提供されるように識別判断して提供できるようにしたものである。
【００６９】
広告時間情報Ｆ２０１ｈは、広告の時間情報が入力されていて、全体で何秒の広告になるかが分かる仕組みになっている。これは、温風モード設定や高速モード設定の際は手乾燥時間が早く使用者の使用時間が短くなるため、短い時間の方の広告をデータの中から抽出して提供できるように識別するものである。要するに、広告提供者は、必要に応じて同じて同じ広告であってもショートバージョン１０秒とロングバージョン１５秒を作り分けて登録すれば手乾燥装置のモードがどのように設定されていても好適に広告を提供できるようになるものである。
【００７０】
また、異なった方法としては、広告情報が１４秒で作られているとした場合に、モードが高速モードになっている場合は、本モードでの手乾燥に対する平均使用時間１０秒で本広告が終了するように手乾燥装置１のＣＰＵ２１は、早送りの再生を行うように制御するものである。どちらにしても、Ｆ２０１ｈに登録されている時間情報に応じて最適に広告を提供するように構成されているものである。反対に５秒でできている広告は１０秒になるようにゆっくり表示させるようにしても良いことは言うまでもない。その場合音声は聞き苦しくなるので提供を中止することが好ましく、または、音声がある広告情報は補正を行わないようにするなどの対応が考えられるものである。なお、広告情報が静止画であれば、高速モードや温風モードの際は１０秒静止画として広告画像を提供し、それ以外のモードでは１５秒静止画として広告画像を提供するものである。必要に応じてスクロールやスーパーインポーズのような表示を行っても良いことは言うまでもない。
【００７１】
リピート時間情報Ｆ２０１ｉには、リピートする時間条件を入力しておくことにより終了の時間によってリピートするかどうかの判断を行う識別情報として使うものである。
【００７２】
詳細には、手乾燥装置１においては、一般的に１５秒前後で手が乾燥するものであるが、使用者の好みに応じて完全に乾燥するまで使用する人もいれば、さっと大きな水滴だけ吹き飛ばして後はハンカチで拭くなどの対応をとる人など様々であり、一人の人が手を挿入して抜くまでの時間はまちまちであると言える。そのため、手を入れて３秒で抜いて終了してしまった場合を仮定すると、広告は１５秒あったとしても３秒で終了することになり、これでは広告の主要部分を提供することなく終了し、次の人には、次の広告が提供されることになってしまって、早く終了させられた広告の提供者としてはお金を支払って広告を行っているメリットを感受できないものとなってしまう。
【００７３】
Ｆ２０１ｉの識別情報はこれを解消し、広告提供者がお金を支払って本装置に対して広告を提供するメリットを最低限感受できるように工夫したものである。詳細には、Ｆ２０１ｉには、１５秒ＭＡＸの広告時間の内で最大の１５秒まで設定できるものであって、半分の７秒までであれば、追加料金は設定されないが、７〜１０秒、１１秒〜１３秒、１４秒〜１５秒で追加の広告料が高くなるように工夫されている。最後の１４秒以降では追加するだけで広告料が３倍以上になるような金額になる設定が想定される。
これらの設定によってどのように機能するかというと、例えば広告提供者が追加料金を支払って半分より多い９秒とＦ２０１ｉに設定登録すると、９秒以下で使用者の手乾燥装置の使用が終了し、広告を全て見ずに立ち去った場合に次の人にも再度同じ広告をリピートして提供することで、広告提供者に広告提供によるメリットを確実に感受できるようにしたものである。これによって、使用者は、リピート時間内に確実に広告で伝えたい、例えば「うどんタイムサービス中３５０円！」という情報をリピート時間内までに最低１回は組み込むなどの工夫をすれば、全ての広告が提供されなくても伝えたい内容の骨子だでけも伝えることが可能になるなどの使い勝手とメリットの感受を得られるものである。
【００７４】
但し、あまりにも使用者の使用時間が短い状態がたまたま３人以上続いたような場合は、リピートを４回も行うことは他の広告提供者の広告機会を喪失させる可能性すらあるので、予めリピート回数は３回までと設定するような上限しきい値を設けることが望ましい。  また、本実施例では、リピート時間を広告料金の連動方式として設定したが、一義的に約半分の時間７秒以下で終了した場合は、３回を上限にリピートさせるようなことを行っても良いものである。
【００７５】
以上これによって、確実に伝えたい広告内容を顧客に対して提供できるという手乾燥装置という終了までの使用時間が安定しない装置においても広告提供のメリットを確実に感受できるようにしたものであり、本装置１を用いての広告提供というスタイルにおいては実用上極めて重要な意義を持つ物であることが理解されよう。
【００７６】
次にＦ２０１ｊには、ベース広告情報Ｆ１０２ａのどれを用いるのかを識別させる情報が組み込まれているものである。これは、主広告は文字等の主たる伝えたい広告の内容であるが、この広告情報を重ねて表示したいのは当然自分のお店の画像や店舗名が記載されている、自らが登録しているベース広告情報である。自らが登録しているベース広告（複数自分で登録している場合は、その内のどれかを特定できる）をＦ２０１ｊで指定することで、指定されたベース広告情報の背景画像の上に主広告の情報が重ねて表示される。よって、広告提供者のイメージ通りの広告を使用者に確実に提供できるようにしたものである。なお、このＦ２０１ｊにベース広告情報の指定がなされていない場合は、手乾燥装置１のＣＰＵ２１は、汎用の背景画像としてＲＯＭ２２やＲＡＭ２３に常に登録されているベース背景画像を用いるように構成されており、ベース背景画像は無地の単色であったり、汎用の画像として予め登録されているようなものである。
【００７７】
以下制御フローチャートを用いて本発明における手乾燥装置１の制御内容を詳述する。本制御プログラムは、大きく分けて図５に示すメインプログラムと補助プログラムに大別される。前記補助プログラムとしては、図６に示すメモリーカード１６から広告情報などを本体のＲＡＭ２３にダウンロードする情報転送プログラム（Ｓ１０１〜Ｓ１０９）、図７に示す手乾燥装置１の使用状況や、提供した広告情報の種類や回数などの管理情報を管理者にフィードバックする情報提供プログラム（Ｓ２０１〜Ｓ２０８）、図８に示す判別プログラムによって提供される広告をどれにするかを条件に応じて決定するする広告の判別プログラム（Ｓ３０１〜Ｓ４０７）と、図９に示す提供すべき広告の期限が切れた不要となったファイルをＲＡＭ２３から自動的に削除する削除プログラム（Ｓ５０１〜Ｓ５０５）で構成される。
【００７８】
大まかに制御内容を言えば、メモリーカード１６がメモリースロット１４、１５の少なくともいずれか一方に挿入されて情報転送が選択されると情報転送プログラムが起動してメモリーカード１６から情報提供機能付き手乾燥装置１のＲＡＭ２３の設定領域に広告情報がダウンロードされ、メインルーチンでは、手が挿入されるのに同期して判別プログラムに基づいて決定された広告情報を順次使用者に提供する。
【００７９】
一方で、予め決定されている通常ではあり得ない特殊な操作が行われると情報提供モードに入り、ベース広告や主広告以外の情報である、広告の提供回数や、手乾燥装置の使用状態等のＣＰＵ２１の監視情報をフィードバックするようにモニター５に提供され、確認終了指示を受けるとその処理を終了するという流れになる。また、ＲＡＭ２３内にダウンロードされた広告情報が、広告提供者によって決められた広告提供期限を過ぎている場合に、ＲＡＭ２３内の登録可能エリアを広げるために自動的に削除されるようになっているものである。
【００８０】
図５は、本発明のＣＰＵ２１がシステムプログラムとして読み出し専用メモリーＲＯＭ２２に格納しておいて随時呼び出して使うメインプログラムのフローチャートである。
【００８１】
ステップＭ１０１でプログラム開始されると、ステップＭ１０２でＳＳＲか否かが判断される、これは、手挿入センサー１０がＯＮになっているかどうかが確認される意味である。もしセンサー１０がＯＮになっていれば、ステップＭ１０３で手乾燥用ファン作動中フラグをＦ＝１に設定する。
【００８２】
ステップＭ１０３でフラグをＦ＝１に設定した後には、ステップＭ１０４でＣＰＵ２１がファンモーター７とヒーター６に送出しそれぞれを駆動させ使用者の手の乾燥を開始する。
【００８３】
ＣＰＵ２１が、ファンモーター７、ヒーター６、各種センサーなど何らかの不具合を判定した場合には、ステップＭ１０５ａで故障と判定されてＭ１０５ａに進んで、ＣＰＵ２１はファンモーター７とヒーター６を停止する処理を行って、更に、ステップＭ１０５ｂにおいて、どのような広告を提供していようとも、ＣＰＵ２１はモニター５上に割り込んで最優先処理されて、故障である旨のメッセージを表示し続けた状態で情報提供機能付き手乾燥装置の動作を停止させるようになっており、フローの終了とともに、手乾燥装置１は電源でリセットする等の対応を取らない限りファンモーター７やヒータ６を動作させることはない。
【００８４】
次に、ステップＭ１０５で、ファン８とヒーター６が正常に動作していることが確認できたら、ステップＭ１０６で、手の挿入と同期して広告を提供するタイミング広告を行う。その際、まずは、ファンモーター７への通電処理を実行してから０．５秒遅らせて本タイミング広告をモニター５に表示させ、音声をスピーカー１３から行うようにしているものである。これは、ファン８の騒音に打ち勝つ程の大きさでスピーカーから音声を出す必要があるため、ファンモーター７が動作し、確実にトイレブース内においてファン８やファンモーター７の動作音が発生している状態下においてスピーカー１３から音声が出力されるようにすることで、大きな広告音声によって使用者をびっくりさせたり、違和感や怒りを覚えさせたりすることがないようにしたものである。
【００８５】
また、このＭ１０６で提供されるタイミング広告の内容は、図９に示す判別プログラムによって決定、準備されている広告データを読み取ってメインプログラムでは提供するように構成されているものである。タイミング広告の提供後Ｍ１０７に進んでリターンする。
【００８６】
次に、Ｍ１０２の判定で手の挿入を判定するセンサー１０がＯＦＦであれば、ステップＭ１０２ａに分岐することとなる。こちらのルーチンに来る状態は、使用者の手の乾燥動作が終了した直後の状態もしくは、手乾燥装置１の未使用状態で本ルーチンに進んでくる場合とがある。手乾燥動作終了直後の状態では、Ｆ＝１の状態であるがこの状態を例に取って以下説明する。
【００８７】
まず、こちらのルーチンに来ると現在モニター５に提供しているタイミング広告を終了させる必要があるためＭ１０２ａでその終了処理に入る。タイミング広告は表示と音声によって提供されているが、その広告情報提供の停止に際しては、まずは、タイミング広告を停止し、その後０．５秒の待機時間後にファンモーター７およびヒーター６をＦ１０２ｂで停止するように構成している。０．５秒後に停止を行うのは、Ｍ１０６との処理と同様の狙いであって、タイミング広告の音声はファンモーター７の音より大きく設定されている必要があるため、狭いトイレブースにおいてはファンモーター７やファン８の騒音がなくなった後の状態では大きな違和感になるため、ファンモーター８が回転している状況で確実にタイミング広告が停止されるようにしたものである。なお、ここでは、音声も表示も同時に０.５秒、ファンモーター７の停止より先に停止させたり、反対にタイミング広告を提供する際にはファンモーター７の作動から遅らせて開始するようにしているが、問題があるのはスピーカー１３からの音声提供であり音声提供だけを先に停止させたり、遅らせて提供するようにしても良く、モニター５へのタイミング広告の表示は、タイミングずれによる違和感がないようにファンモーター７の動きに同期させればよい。
【００８８】
次にステップＭ１０２ｃでは、ＢＣＭ処理を開始する。これは、タイミング広告の停止に伴ってモニター５の画面上に何も表示されないのは非常にもったいなく、トイレブースには手乾燥装置１が使用されていない状態であっても多くの顧客がいることが十分に考えられることから、手乾燥装置の動作に連動したタイミング広告とは別に、モニター画面５上に連続して垂れ流す形で表示される通常広告を備えていて、タイミング広告の停止とともに予め設定されているこの通常広告を表示させるようにしたものである。この通常広告は、ＲＯＭ２２内に最初から組み込まれたものであっても良いし、ＲＡＭ２３内に更新可能に通常広告として記憶できるようにしても良く、広告提供者は、タイミング広告として広告を提供したいのか、通常広告として広告を提供したいのかを決定した上で広告を提供できるようにすれば一層利便性を向上できるものである。
【００８９】
次に、ステップＭ１０２ｄでフラグの確認を行い、Ｆ＝１であれば、ステップＭ１０２ｅにて、手乾燥装置の使用回数及び、提供した広告の使用回数（提供回数）を更新し、現在日時をＲＡＭ２３に記憶させるようになっている。こによって、先の図７で示した情報提供プログラムに基づく図１３のような情報を管理者にフィードバックできるものである。もしステップＭ１０２ｄで、フラグがＦ＝１でなければ、手乾燥装置１の動作直後ではない放置状態なのでステップＭ１０２ｆにおけるフラグは０であるが同様にＦ＝０で更新してからＭ１０７でリターンする。
【００９０】
ステップＭ１０２ｅで手乾燥装置１の使用回数や広告の使用回数などのＣＰＵ２１の管理情報を更新するとともに。その更新日時をＲＡＭ２３に更新記憶した上で、ステップＭ１０２ｆに進んでフラグにＦ＝０を代入してからＭ１０７でリターンする。
【００９１】
まず、図６に基づいて、情報転送プログラムの処理を説明する。このプラグラムでは、ベース広告の入ったメモリーカード１６をメモリースロット１４に挿入した場合、主広告データの入ったメモリーカード１６をメモリースロット１５に挿入した場合に、メモリーカード１６に保存された広告情報が入ったデータファイルをＣＰＵ２１の処理によってＲＡＭ２３の規定された領域にベース広告と主広告を分けて自動的にダウンロードするように構成されている。
【００９２】
まず、ステップＳ１０１でシステムがスタンバイした状態となる。次に、ステップＳ１０２で第１番目のメモリースロット１４又は第２番目のメモリースロット１５にメモリーカード１６が挿入されたかどうかを確認して、いずれかにメモリーカード１６が挿入され確認できた場合にはステップＳ２０３へ進み、いずれのメモリースロット１４、１５にもメモリーカード１６が確認出来なかった場合にはステップＳ１０９に進んでリターンする。
【００９３】
メモリーカード１６の確認が出来た場合には、ステップＳ１０３において、第１番目のメモリースロット１４におけるメモリーカード１６の有無を確認する。第１番目のスロット１４にメモリーカード１６が挿入されていることが確認されると、ステップＳ１０３ａに分岐し、メモリーカード１６内のデータがベース広告情報であるかどうかを確認する。
【００９４】
メモリーカード１６内のデータにベース広告情報である場合にはステップＳ１０６へ進み、適合判定を受け、メモリーカード１６のデータがベース広告情報でない場合には、ステップＳ１０３ｂに進み、格納データ相違エラーをモニター５上に表示し、ベース広告が格納されているメモリーカード１６を第１のメモリースロット１４に挿すように指示を行いステップＳ１０９に進んでリターンする。
【００９５】
ステップＳ１０３で、第１番目のメモリースロット１４にメモリーカード１６が確認出来なかった場合には、ステップＳ１０４へ進み、第２番目のメモリースロット１５にメモリーカード１６が挿入されているかどうかを確認する。
【００９６】
ステップＳ１０４において、第２番目のメモリースロット１５にメモリーカード１６が挿入されていることが確認できた場合は、ステップＳ１０５で第２番目のメモリースロット１５に挿入されているメモリーカード１６のデータが広告主等によって適宜に作成された主広告情報であるかどうか確認される。ステップＳ１０５で第２番目のメモリースロット１５に挿入されているメモリーカード１６のデータが主広告情報であることが確認されると、ステップＳ１０６において適合判定され、またステップＳ１０５において第２番目のスロット１５に挿入されているメモリーカード１６のデータが主広告情報では無い場合には、ステップＳ１０５ａに分岐して、格納データ相違エラーをモニター５上に表示し、主広告情報のデータが格納されているメモリーカード１６を第２のメモリースロット１５に挿すように指示を行いステップＳ１０９に進んでリターンする。
【００９７】
ステップＳ１０６では、前記ベース広告情報および主広告情報のデータに記述登録されているＤＤ、Ｍ／Ｆ、ＡＤに基づいて（イ）提供期間の有効性確認、（ロ）男性／女性の属性と登録値との比較確認、（ハ）設置アドレスの確認の３点について適合性が判別される。
【００９８】
ステップＳ１０７では、ステップＳ１０６の適合確認で確認された条件に従って、メモリーカード１６のデータの中から条件に合ったデータが判別され、図３に示されるＣＰＵ２１のＲＡＭ２２の領域に該当するデータだけがダウンロードされる。
【００９９】
図７は、情報提供プログラムに関する補助プログラムのフローチャートを図示している。ステップＳ２０１にて情報提供プログラムの実行タイミングになると、まず、ステップＳ２０２において、ヒータースイッチ１９が３回連続でＯＮ／ＯＦＦ操作されたかどうかを確認して、確認されればステップＳ２０３へ進み、確認されなければステップＳ２０８へ進んでリターンする。
【０１００】
ステップＳ２０３では、更に手の挿入を検出する赤外線センサー１０が３回連続でＯＮ／ＯＦＦした、すなわち、通常ではあり得ない動作である手の連続出し入れを３回したかどうかを確認して、確認されればステップＳ２０４へ進み、確認されなければステップＳ２０８へ進んでリターンする。
【０１０１】
ステップＳ２０４では、予め決定されているＳ２０２とＳ２０３の通常ではあり得ない動作モードを確認したことによって通常の動作モードから、ＣＰＵ２１が監視記録している情報を手乾燥装置１側から管理者にモニター５を介してフィードバックする情報提供モードに介入させるものである。この情報提供モードでは、ステップＳ２０５においてモニター５上に後述するメインプログラムを介してＣＰＵが記憶管理しているデータを分析し、予め決定された表示形態に基づいて表示するものであり、具体的には詳細を後述する図１３の画像をモニター５上に表示するものである。
【０１０２】
モニター５に情報表示後、手挿入を検出するセンサー１０が１０秒以上ＯＮになっているかどうかを確認して、１０秒未満であれば図１３の表示を継続し、１０秒以上であればステップＳ２０７に進んで図１３の表示を終了するとともに、本情報を表示するために格納している蓄積データをクリアーして、ことで、本情報提供モードから通常モードに移行してリターンする。
【０１０３】
図８（ａ）と（ｂ）は、判別プログラムである。この判別プログラムは、現時点で提供すべきタイミング広告はどれかを各種の識別情報をもとに判別し、判別の結果複数の提供すべきタイミング広告がある場合は、広告支払い料金情報に関する識別情報Ｆ２０１ｇに基づいて提供順序を決定したりするプログラムである。
【０１０４】
ステップＳ３０１でプログラムが起動されると、ステップＳ３０２でフラグＦの確認を行い、Ｆ＝１であればステップＳ３０３に進み、Ｆ＝１でなければ図９（ｂ）のステップＳ４０１に進む。
【０１０５】
ステップＳ３０３では、主広告情報Ｆ２０１ａに関連付けられている識別情報の中から、ＤＤの提供期間及び時間帯情報のＦ２０１ｃ、ＡＤの設置アドレス情報Ｆ２０１ｄ、Ａ／Ｃの大人又は子供の属性情報Ｆ２０１ｅ、風量切替スイッチ１８及びヒーター入切スイッチ１９の設定などの情報内容に従って先にグルーピングした広告情報の中から場所情報を検索する。
【０１０６】
上記において、メモリーカード１６からＡＤの設置アドレス情報、Ｍ／Ｆの男性女性属性情報を識別した上で、既にＲＡＭ２３内関係するベース及び主広告データだけをダウンロードしている場合であれば、それ以外の関連しないデータはＲＡＭ２３内には格納されていないことになるのでステップＳ３０３では、ＡＤの設置アドレス情報、Ｍ／Ｆの男性女性属性情報に関する識別項目の検索は必要がない。
【０１０７】
ステップＳ３０４では、ステップＳ３０３における識別情報に基づく広告情報の検索に基づいて、上記検索条件に適合するタイミング広告として現時点において提供すべき主広告情報が存在すると判定されればステップＳ３０５に進み、一方データイミング広告として提供すべき適合する主広告情報が存在しなかった場合は、ステップＳ３０４ａに分岐し、予め記憶されている通常広告情報の提供をタイミング広告の登録に変えて設定登録する。
【０１０８】
その準備として通常広告のＲＡＭ２３に格納されているデータのＦ２０１ａの主広告情報と、この主広告情報Ｆ２０１ａに関連付けられたＢＡの識別情報Ｆ２０１ｊに基づいてＲＡＭ２３のベース広告情報を格納している領域から適合するＦ１０２ａのベース広告情報を読み出し、ベース広告情報に主広告情報を重合して表示できるように登録準備するようになっている。
【０１０９】
また、音声出力手段を解除して通常広告は提供するように準備する。これは、タイミング広告は手乾燥装置１のファンモーター７の駆動動作に連動する形で提供される広告の形態であるため確実に広告を見ている人がいることから広告効果を高めるためにも音声提供が有効であることに加え、人の手挿入タイミングに合わせて提供される主広告情報が切り替わるように工夫されているため広告の変化があって同じ言葉を何度も聴いてうるさいと感じる可能性が低いためである。
【０１１０】
一方で、通常広告を提供するタイミングは手乾燥装置１を使用されている状態に加え、乾燥装置１が使われていない状態も含むものであって形式的には継続的に垂れ流す方式である。よって、この通常広告を提供する際に音声を併用するとファンモーター７やファン８の騒音がない状態があって広告の声だけが目立って非常にうるさく感じてしまうという弊害が考えられるとともに、トイレブース内で化粧や大便をしている人がいる場合は比較的長い時間トイレブース内に居ることになるため、同じ広告のメッセージを何度も聞くような状況になってうるさいと感じるだけでなく、最悪広告社に嫌悪感を与える恐れがあるため音声はＯＦＦし表示だけで提供するようにしたものである。この通常広告情報の提供を行う設定登録が完了するとリターンする。
【０１１１】
ステップＳ３０５では、タイミング広告として提供すべき主広告情報が複数あるかどうかをＤＤ等の識別情報によって確認する。確認した結果タイミング広告として複数の提供すべき広告情報があると判定された場合にはステップＳ３０６へ進み、ひとつしか提供すべきタイミング広告が無い場合にはステップＳ３０７へ分岐する。
【０１１２】
ステップＳ３０６では、現在の時間帯において提供すべき複数のタイミング広告が存在する場合に進んでくるルーチンであるが、ここでは、それら複数のタイミング広告それぞれの主広告をどのような順番で手乾燥装置の動作に連動させて提供するかという順番を決定し記憶しておくルーチンである。さらに、例えば５個タイミング広告として提供する情報があった場合に、単に１〜５の順序を設定するのではなく、ＰＡＹの広告支払い料金情報に関する識別情報Ｆ２０１ｇに基づいて広告支払い料の割合に比例する形で、広告料が多い広告の提供頻度割合が多くなるように提供順序が設定されるものである。
【０１１３】
例えば、Ａという主広告が２倍の広告料を支払っていれば、他の主広告に比べて最低２倍は提供される可能性が高まるように順序が設定されるものである。要は何回手乾燥装置１がその時間帯に動作するかは過去のデータに基づいて推定はできるものの確実に何回動作するとは言えないため、過去の頻度に基づいて他の広告より２倍以上は提供されるであるように提供順序が決定されて広告メリットが感受できるようにしている。
【０１１４】
また、さらにタイミング広告の順序が単純に広告料に連動する形で変化するだけでなく、広告料を多く支払っている人は、広告メリットが高い時間帯に優先されて提供されるように配列される。これは、トイレの使用頻度が高い時間帯、ビジネス街であればお昼時は非常に頻度が高まるため、このような時間帯に提供される広告は手乾燥装置１を使用している使者者だけでなく、次に乾燥装置１を使おうと並んでいる人が見たり聞いたりする可能性があり、また、トイレブース内にいる全ての人が見る事はなくても情報を聞く可能性は非常に高く一度提供される広告のメリットが非常に高まると言える。よって広告料を多く払えばこういう副次的な効果も感受できるように優先して有利な時間帯に提供されるようになっている。
【０１１５】
こういう事が可能なように手乾燥装置１のＲＡＭ２３内には、管理者に使用頻度等の情報をフィードバック提供するためにＣＰＵ２１が監視している使用頻度情報に基づいて、曜日毎の時間帯領域毎に使用頻度を計測記憶して、この記憶データに基づいて自動的にタイミング広告の提供順序を考察するようにプログラミングされている。この決まった提供順序を記憶し、次ステップのＳ３０７で順次登録していくことによってメインプログラムで手乾燥装置１の動作毎に本プログラムで決定した順序通りにタイミング広告が提供されるようになっているものである。
【０１１６】
ステップＳ３０７においては、先にも述べた通り、次に手乾燥装置１が動作した際に提供されるタイミング広告を準備し登録するルーチンであって、ここで登録することで、メインプラムは手乾燥装置１の動作時に直に広告提供者のイメージ通りに広告を提供できるようにしたものである。まずは、本時間帯で提供する主広告が一つしかない場合は何も考えることがなく、提供すべき主広告と、その主広告に関連付けられたＢＡの識別情報に基づいてベース広告情報を抽出してきて、それを予め高速なＲＡＭ等に格納して素早くベース広告上に主広告をＤＩ情報に基づいて重畳させて広告情報提供者のイメージ通りに表示できるように準備して登録するものである。
【０１１７】
なお、ここで準備するデータは、Ｓ３０９の次ステップにあるように子供向けには子供用の情報が提供されるようになっているため、この時間帯で子供が手乾燥装置１を使った場合に子供向けを提供できるように本Ｓ３０７のステップでは、次のタイミング広告の為に準備しているものは大人用と子供用に二つである。なお、もし、提供する主広告情報にＢＡで選択するベース広告の情報が登録されていない場合は、予めＲＯＭ２２やＲＡＭ２３に格納されている汎用の背景ベースデータを使い、これに本主広告を重畳する形で提供されるように事前に準備しているものである。これにより視覚的に拘った広告にする必要がないと思っている広告提供者や、簡単に広告を提供したいと思っている提供者にとっては、ベース広告を準備しなくても簡単に広告を提供できることから極めて有効であると言える。
【０１１８】
次に、ステップＳ３０８において、利用者の手が挿入されたかを判定し、挿入されていない場合はＳ３０８ａに進んでリターンする。手の挿入が検出されるとＳ３０９に進み、このステップで手の挿入高さをセンサー１０で検出し、手の挿入位置から大人か子供かを推測し、手の位置が高い場合はステップＳ３１１に進んで大人用の準備したタイミング広告を直ぐにＳ３１１のステップで登録してメインプラグラムの処理で本登録したタイミング広告が提供されるよにしている。一方で、反対に、手の挿入位置が低い場合は子供であると判定して同様に準備している子供用のタイミング広告を直ぐにＳ３１０のステップで登録してメインプラグラムの処理で本登録した子供用のタイミング広告が提供されるようにしている。
【０１１９】
なお、子供用、大人用の現時点で提供すべきタイミング広告の一方がない場合は、Ｓ３０９のステップの判断に関わらず存在する一方の広告を同様に提供されるように同じ物を登録するようになっている。なお、今回は手の挿入位置で大人と子供を判断したが、赤外線センサーの位置や配置により手の大きさを判定して小さい場合は子供と判断するようにしてもよい。また、提供する広告の種類を変更するだけであるため、危害等が生じるものではなく子供と大人の判定にそれほど高い精度が求められるものではないことから簡単なセンサーによって簡易に判断するようにしても何等支障は生じないものである。Ｓ３１０及びＳ３１１の処理を実行した後はＳ３１２のステップで手乾燥装置１が動作中であることを示すフラグを１に設定してリターンする。
【０１２０】
図８（ａ）のステップＳ３０２で、Ｓ３１２で設定されたＦ＝１が検出されると、図８（ｂ）のステップＳ４０１へ分岐する。ここで手の挿入を検出するセンサー１０がＯＦＦになるのを待ち、挿入されている間はＳ４０１ｂに進んでリターンし、手が抜かれるのを継続的に監視する状態となる。この状態はモニター画面５上にはタイミング広告が提供され続けており、基本的なルーチンでは、現在のタイミング広告が終了しても、なお手の乾燥行為が継続している場合は、同じタイミング広告をリターンして提供し続けるように構成されている。これは、手の乾燥行為が終わっているにも関わらず、次の広告を見続けて、後に続く使用者への迷惑にならないように工夫したものである。そういう意味では、一度タイミング広告の提供が最後まで終わった場合は、モニター画面５上からは広告表示を中止するという考えであっても良いものである。一方で手が抜かれ、センサー１０がＯＦＦになるとステップＳ４０２へ分岐する。
【０１２１】
Ｓ４０２では、手を手乾燥室４に挿入していたセンサー１０のＯＮの状態から手が抜かれたＯＦＦに状態に反転した時点からの時間を計測するようになっており、この計測時間が予め決定されている短い時間、例えば１．５秒の判定時間Ｔ１以内に再度手が挿入されてセンサー１０がＯＮになった場合はステップＳ４０３に分岐し、Ｔ１時間を経過しても手が検出されなければ、今まで手を乾燥していた使用者は立ち去り、次の人に入れ替わったであろうと推定し、ステップＳ４０２ａに分岐し、現在の設定をタイミング広告の登録を基本的には解除するモードとなる。というのは、現在手を乾燥させていた使用者の使用時間がありまりにも短い場合は、広告提供者としては広告メッセージを伝えずにして終了させられた可能性があるので、その不利益の対策の為にＲＴのリピート時間情報Ｆ２０１ｉに基づいて、リピート時間内で終了したのか否かを判断し、リピート時間を越えて終了しているようであれば現在のタイミング広告の登録を解除し、リピート時間内であれば、登録を解錠せずに、継続して同じタイミング広告を登録するようになっている。なお、上限として３回までリピート登録されるように構成されている。その後、ステップＳ４０２ｂで手乾燥装置の動作中のフラグをＦ＝０に変更し、ステップＳ４０２ｃでリターンする。要は、手を乾燥装置１から抜いて、再度乾いていないから手を入れる場合は１．５秒以内で行われるものであるため、その時間を過ぎれば次の人に入れ替わるのデータイミング広告の提供内容を変更するために現在登録している広告を登録解除し、次のタイミング広告を登録するようにリターンしているものである。
【０１２２】
一方でステップＳ４０３に進んできた状態というのは、一度手が抜かれて再度１．５秒以内に手が挿入された場合であり、この状態が可能な同じ使用者が手を入れた場合に他ならない。（１．５秒では使用者が入れ替わる必要な時間としては短く不可能であるため）同じ使用者に対しては、様々な機能が付加されているものであり、モニター画面５上に表示させることで使用者に様々な機能が使えるように構成されている。
【０１２３】
その追加機能について説明すると１・５秒以内に手を入れた後、規定時間Ｔ２（２秒程度）以内に連続して前記センサー１０２回以上ＯＮ／ＯＦＦ切替されたかどうかを確認する。言い換えれば、２秒以内に手を２回出し入れしたか、もしくは、Ｓ４０４で３回出し入れしたかを判定するようになっている。ここで、Ｓ４０３のステップで３回動作の途中であるにもかかわらず２回動作があったとして直にＳ４０４ａに進まないように工夫されていることは言うまでもない。Ｓ４０３で前記センサー１０が２回ＯＮ／ＯＦＦ動作あったとした場合には、ステップＳ４０３ａに分岐し、提供しているタイミング広告における更なる追加情報をモニター５上に表示して興味ある広告の更なる情報を得ることができるように工夫したものである。追加の情報としては、現時点からその広告主のお店に行くことを可能にする地図であったり、電話番号であったり、タイミング広告主がレストラン等であればメニューなどが考えられる。この追加広告情報を登録するように切替るものである。なお、このような追加広告の要求の場合は手の乾燥が終了した後に手を出し入れして実行をかけている可能性が高いので、あえてファンモーター７やヒーター６を駆動して電力を消費したり、騒音を出す必要もないので停止するようにすることも考えられる。また、トイレブースの使用が非常に混雑しているような状況になる時間帯では、このような追加広告の機能を実行すると手乾燥装置が使えない、人が並んで混雑するなどの迷惑になる可能性があるので使用することが好ましくない曜日や時間帯では機能が使えないよう手動や自動でできるようにすることは一層好ましい対応になると言える。
【０１２４】
ステップＳ４０４で前記センサースイッチのＯＮ／ＯＦＦ回数が３回検出されると、ステップＳ４０４ａに分岐する。ここでは、今回提供したタイミング広告以外のタイミング広告を早送りして本使用者に提供できるようにした追加閲覧の機能であり、先に述べたＳ３０６で順序付けされているタイミング広告を早送りして順番に提供するようになっている。提供すべきタイミング広告が他にない場合は当然この機能は使用されず、提供すべきタイミング広告が存在しないことを表示することが考えられる。また、提供すべきタイミング広告がたくさんあった場合には、いくら早送りして提供するとしても時間がかかり手乾燥装置１を占有するため、３つ提供するというように工夫することが望ましい。また、先の機能と同様使用頻度の高い時間帯では本機能を同様に使えないようにすることが望ましいかもしれない。
【０１２５】
ステップＳ４０５では、手の挿入時間が１秒以内等の規定時間（Ｔ０）以下かどうかが確認される。言い換えると手を再度入れて直に抜いたという状態である。もし手の挿入時間が規定時間（Ｔ０）以下であれば、ステップＳ４０６に分岐し、リピートモードとして、同じ広告が再度提供されるように設定登録されているタイミング広告を登録削除することなく登録を継続させるものである。これによって、使用者がもう一度同じ広告を見たいという要求に対応できるようにしたものである。いずれにしても、これら機能を使用するための手の動作は上記の説明から明確な通り手を乾燥させるという行為に対しては非常に不自然であり、手の乾燥動作に影響することなく使用者の広告に対する要求を確認して確実に要求に沿った情報を提供できるようにできているものである。さらに言えば、これら機能を追加するに当たり、手乾燥装置１に対しては特別なスイッチ等を設けることなく手の出し入れという現状のシステムで無理なく判定できる方法を使っているところはコスト効果上大きなメリットであると言える。
【０１２６】
最後にステップＳ４０５で、手の挿入時間が規定時間（Ｔ０）を超える場合であるが、このルーチンに来る状況というのは、手を一旦抜いた後、手の乾燥が不十分であったから同じ人が再度手を挿入して乾燥させている状況であると考えることが最も好適な状況であり、この場合の対応は色々な考え方があるものである。本実施例では、ステップＳ４０５ａに分岐してきた状態では、Ｓ３０６で構築されている次の広告を設定登録してからステップＳ４０７でリターンするようになっている。しかし、同じ使用者に対して乾燥不足を補うための追加の乾燥に対して更に追加の１０秒を超えるようなタイミング広告を提供すると、手乾燥がすぐに終了して使用者が立ち去りそのタイミングは広告として伝えたいことも伝えることができないまま終了させられ、次のタイミングに広告になる可能性があったり、手の乾燥は終わっているのに新しい広告を見続けて次の人が長く待たされてしまうという弊害も考えられる。よって、Ｓ４０５ａのステップではタイミング広告を変更登録しないという考えも十分考えられる対応である。
【０１２７】
図９は削除プログラムのフローチャートを示している。この目的は、ＤＤの提供すべき期間を過ぎている不要な広告情報を本体メモリー（ＲＡＭ２３）から自動的に削除することにより、特別な作業をしなくとも次々と新しい広告情報のダウンロードを可能にする機能である。
【０１２８】
ステップＳ５０１で削除プログラムが開始されると、ステップＳ５０２でＳＣＨ処理が実行され、前記ＣＰＵ２１で設定された日時情報と主及びベース広告の関連付け情報ＤＤの提供期間及び時間帯情報Ｆ１０２ｃ及び／あるいは主広告の提供期間及び時間帯情報Ｆ２０１ｃが検索され、ステップＳ５０３で現在の日時に適合しない、古くなった広告情報が検出されたら、ステップＳ５０４にて時効となった不要な広告情報を削除してからステップＳ５０５に進んでリターンする。
【０１２９】
ここで、ステップＳ５０３で時効となった不要な広告情報が検出されなかった場合は、ステップＳ５０５に分岐してリターンする。
【０１３０】
図１０は、本発明におけるネットワークシステム例である。情報提供機能付き手乾燥装置１に内蔵された無線機１５は、無線で第１のネットワーク２５に接続し、管理サーバ２６と通信する。管理サーバ２５には広告データベース２７が接続されていて、所定の時間に無線機１５に広告データなどを送信し、前記広告データなどは情報提供機能付き手乾燥装置１の内部メモリーに格納される。
【０１３１】
一方、契約ショップ３０からはトークンリングなどの第２のネットワーク２９を介して適宜に管理サーバ２６にテキストデータなどで主広告データを送信してくる。前記管理サーバ２６は送られて来たデータを前記広告データベース２７に格納し、所定の時間に無線機１５にオフライン通信する。
【０１３２】
また、情報提供機能付き手乾燥装置１のフィードバック情報は、カードスロット１４を介してメモリーカード１６に書き込んで回収することも出来るし、前記広告データと同様に無線機１５から第１のネットワーク２５を介して管理サーバ２６に送信して集中管理することも可能である。
【０１３３】
なお、前記第１のネットワーク２５については、例えば既存の携帯電話網を使うことも考えられるし、もし情報提供機能付き手乾燥装置１の設置場所の近くがホットスポットとして設定されているのであれば無線ＬＡＮインターネットを使ったネットワークを利用した通信も可能である。またもし無線機１５にインターネット電話、例えばＳｋｙｐｅ（登録商標）などを使う場合においては、無料で固有のアクセス番号が取得出来るので情報提供機能付き手乾燥装置の数が増えても既存の固定電話網や携帯電話網を使う場合に較べて全体の維持費用を安くすることも可能である。
【０１３４】
図１１（ａ）は、ベース広告のみの画面表示例である。ベース広告は、前述の通り、主広告を提供するお店等の広告提供者毎に専用に作られる背景画像であり、基本的には主広告の内容に関わらず共通に使われるように構成されているものである。また、広告提供者によっては、自らのベース広告を持たず広告を提供したいという広告提供者の為に、予め一つもしくは複数の広告提供者によらず共通使用が可能な汎用のベース広告情報が格納されている。ベース広告は、例えばお店の全景、あるいは店内写真とかイラスト図など比較的重いデータを使うことを想定しているので、主広告の製作元であるレストランのシェフなどが自らベース広告を作成しても良いが、面倒なだけでなくスキルを必要とするので広告提供者から広告を請け負う会社が委託を受けて作成するようなビジネスモモデルが最適であると言える。
【０１３５】
図１１（ｂ）は、主広告データに基づく内容の一例であり、１２時から１３時までのタイムサービスが、４階エレベータ前のレストラン◎◎で実施され、全品６５０円均一にて提供されることを広告する情報内容となっている。
【０１３６】
図１０（ｃ）は、前記ベース広告（ａ）と主広告（ｂ）を重合表示してモニター５に表示する画面の例を示している。このようにすることで、広告提供毎に少なくとも内容を更新する必要がないベース広告は使い回しが可能になり、一方で広告提供毎に内容を吟味して変更したい主広告は簡単に作成できるため、非常に使い勝手の良い広告提供の仕組みを提供できるものである。言い換えると、広告を提供したい一般の人達が、特別なスキルを持つことなく安価にタイムリーに提供できるようにすることを可能にしたものである。
【０１３７】
図１２は、電源スイッチを５回オンオフさせるような特殊操作で介入するモードであって、手乾燥装置１のＲＡＭ２３内に設置される場所に関するアドレスコードを記録させるモードを表示した例を示すものである。このアドレス設定は、手乾燥装置１を施工する際に基本的には一度設定されれば問題ないものである。ただ、必要に応じてこの画面から変更できることは言うまでもない。画面には、設定項目、設定変更方法、現在の設定内容の順に並記されていて、時間についてはＣＰＵ２１から時間情報を得ている。なお、時間については、設定の手間を省く目的から、電波時計モジュールを内蔵させてＣＰＵ２１に接続された時計機能を適宜のタイミングでリセットすることも考えられる。
【０１３８】
具体的には、Ｍ／Ｆの男性／女性属性情報Ｆ１０２ｂとＦ２０１ｂの識別情報が判別できるように本手乾燥装置１が男性トイレに設置されているのか、女性トイレに設置されているのかを登録記憶させるものである。その操作は、本画面モードでファンモータ７を１回駆動させれば男子トイレと記憶し、２回断続的に駆動させれば女性トイレと記憶し、３回操作されれば、洗面所等の男女共通スペースで男性、女性の識別がなく、属性に関係なく両方のデータを表示させる状態を登録させるものとなる。次にＡＤの設置アドレス情報を識別させるために本手乾燥装置が男性トイレ、女性トイレという設置場所の概念ではなく、例えば何回のフロアーに設置される手乾燥装置なのかという設置場所を登録させるものであり、本実施例では３０個のアドレスの中から一つのアドレスを持てるようになっている。これを男性女性トイレの識別と分けることで、３０×２の６０個のアドレスを持てることになり、６０個の手乾燥装置に違うアドレスを設定できるため、これであれば、基本的には、デパート等の乾燥装置１が多数設置される場所であっても全て違うアドレスを設定できるものである。これの設定はヒータースイッチ１９のオンオフ回数によって設定変更できるものである。ここでは、１２番の男性トイレと設定され、これが例えば、４階の紳士服売り場の南側トイレブースの男性トイレにある手乾燥装置１であると判別できるものである。
【０１３９】
なお、前記設定においては、本実施例のように各設定はソフトウェアによる設定でも良いし、例えば男子トイレと女子トイレのような設定変更が予想される設定項目をスイッチなどのハードウェア的で設定できる構成も考えられ。
【０１４０】
上記設定モード画面の表示については、特殊なスイッチを設けなくとも、例えば図２に示される風量切替スイッチ１８、ヒーター入切スイッチ１９、主電源スイッチ２０などを適宜の組合せにて、所定のタイミングでＯＮ／ＯＦＦ操作することによりＣＰＵ２１によって検出して、前記画面表示に切り替える方法も考えられ、また更に、特別なコマンドを入れたメモリーカード２５を挿入することにより、直接ＣＰＵ２１にコマンドを実行させてモード設定することも可能である。
【０１４１】
図１３は、図７に示す情報提供プログラムによって行われるフィードバック情報の表示画面の例を示している。画面左側には、横を時間軸とする使用回数の度数分布表が表示され、画面右側には、下記の内容をフィードバック情報として表示している。この内容は、メモリースロット１５にメモリーカード１６が挿入されたタイミングでメモリーカード１６のフィードバック情報が格納されている専用ファイルＦ１０１に書き込まれるようになっている。参考までに、提供及びメモリー１６に書き込まれる情報は、
●今日の使用回数
３５０回
●前回からの総使用回数
２８００回
●最大使用時間帯
１２時〜１４時  １７５回
●一人当たり使用時間
平均  １５秒
最大  ３５秒
最小    ３秒
●フィルター交換時期
残り  １２日
●故障情報
なし
●広告提供状況
広告１：提供開始日：2006/6/1〜      現在  ２０回提供
具体的には、広告提供状況は、各広告毎に上記のような広告を提供した回数や、提供した時間帯などが表示されるように構成されている。
【０１４２】
上記フィードバック情報の表示画面については、特殊なスイッチを設けなくとも、例えば図２に示される風量切替スイッチ１８、ヒーター入切スイッチ１９、主電源スイッチ２０などを適宜の組合せにて、所定のタイミングでＯＮ／ＯＦＦ操作することによりＣＰＵ２１によって検出して、前記画面表示を提供することが考えられる。
【０１４３】
図１４（ａ）は、モーター回転数と音量の関係を示す模式図である。本発明の情報提供機能付き手乾燥装置において、モーター７の回転設定は“低”（破線）と“高”（実線）の２段階設定になっている。図示されている通り、送風機８を駆動するモーター７は低回転数運転時（破線）には比較的大きな音を発生し、高速回転運転（実線）になると音量は低下する。
【０１４４】
図１４（ｂ）は、モーター駆動時間と音量の関係を示す模式図である。本発明の情報提供機能付き手乾燥装置において、モーター７の回転設定は“低”（破線）と“高”（実線）の２段階設定になっている。送風機８を駆動するモーター７は低回転運転時の“低”設定時には騒音の音量は比較的大きくなり、高速回転運転の“高”設定時になると騒音の音量は比較的に低下する。点線矢印は図１４（ａ）と（ｂ）の関係を示している。つまり、“低”と“高“いずれの設定においてもモーター７が運転開始した直後から数秒の間は騒音が発生せず、その後に回転数が大きくなるとモーター８の騒音の音量が大きくなる。
【０１４５】
上記において、スピーカー１３からの出力は（ｂ）に図示されるモーター８の特性に合わせ、モーター７が運転開始した直後から数秒はスピーカー１３からは音を出さず、その後の低回転数領域ではスピーカー１３からの出力音を徐々に大きくする。
【０１４６】
また、モーター８の運転を停止する場合は、モーター８が低回転数領域になるまで徐々にスピーカー１３からの出力も下げて無音になってからモーター８の回転を停止するようにする。
【０１４７】
上記により、情報提供機能付き手乾燥装置１が設置された環境が静かな環境であっても、モーター８の騒音が大きくなるにつれてスピーカー１３の音を出すようにし、またスピーカー１３の音量を下げてからモーター８の運転を停止するので、設置場所において、スピーカー１３だけが異様に騒がしく聞こえることはなくなる。
【産業上の利用可能性】
【０１４８】
既存の建物の公衆トイレなどにおいても、大掛かりなＬＡＮ工事をせずに、メモリーカードの挿抜だけで必要なデータ交換が可能になり、しかもＴＰＯに合わせて最適な広告を提供できるようになる。
【図面の簡単な説明】
【０１４９】
【図１】本発明による情報提供機能付き手乾燥装置の斜視図
【図２】本発明による情報提供機能付き手乾燥装置の手挿入部の内部構造図
【図３】本発明による情報提供機能付き手乾燥装置のブロック図の例
【図４】本発明における（ａ）スロット１に挿入するメモリーカードのデータフォーマット例、（ｂ）スロット２に挿入するメモリーカードのデータフォーマット例
【図５】本発明のメインプログラム例
【図６】本発明の情報転送プログラム例
【図７】本発明の情報提供プログラム例
【図８ａ】本発明の判別プログラムのメインフローチャート例
【図８ｂ】本発明の判別プログラムのサブフローチャート例
【図９】本発明の削除プログラム例
【図１０】本発明のネットワークシステム例
【図１１】（ａ）ベース広告の単独イメージ例              （ｂ）主広告のデータ例              （ｃ）ベース広告と主広告を重畳したイメージ例
【図１２】設定モードの画面表示例
【図１３】フィードバック情報画面の例
【図１４】（ａ）モーター回転数と音量の関係を示す模式図              （ｂ）モーター駆動時間と音量の関係を示す模式図
【符号の説明】
【０１５０】
１…情報提供機能付き手乾燥装置、  ２…本体ケーシング、  ３…開口部、  ４…手乾燥室、  ５…モニター、  ６…ヒーター、  ７…モーター、  ８…送風機、  ９…ノズル、  １０…センサー、  １１…水受け部、  １２…排水部、  １３…スピーカー、  １３ａ…アンプ、  １４…メモリースロット、  １５…無線機、  １６…メモリーカード、  １７…フィルター、  １８…風量切替スイッチ、  １９…ヒーター入切スイッチ、  ２０…主電源スイッチ、  ２１…ＣＰＵ、  ２２…ＲＡＭ、  ２３…ＲＯＭ、  ２４…インターフェース。
【図１】
2008051909.tif 000003
【図２】
2008051909.tif 000004
【図３】
2008051909.tif 000005
【図４】
2008051909.tif 000006
【図５】
2008051909.tif 000007
【図６】
2008051909.tif 000008
【図７】
2008051909.tif 000009
【図８ａ】
2008051909.tif 000010
【図８ｂ】
2008051909.tif 000011
【図９】
2008051909.tif 000012
【図１０】
2008051909.tif 000013
【図１１】
2008051909.tif 000014
【図１２】
2008051909.tif 000015
【図１３】
2008051909.tif 000016
【図１４】
2008051909.tif 000017